(57)【要約】【課題】無線通信の誤接続を防止することができる無線通信端末を提供する。【解決手段】ＲＡＭ３０３は、無線通信の通信チャネル設定および無線通信の通信属性の情報を保持する。無線通信回路部３０６は、他の端末と無線通信の論理接続が確立される前に、ＲＡＭ３０３が保持する通信チャネル設定が示す通信チャネルを使用した無線通信により、他の端末から、当該他の端末が保持している通信属性の情報を受信する。制御部３０１は、無線通信回路部３０６が受信した通信属性の情報に基づいて、他の端末との論理接続の確立処理を制御する。【選択図】図３
2010141724.tif 000002
【特許請求の範囲】
【請求項１】
他の端末と無線通信を行う無線通信端末であって、
無線通信の通信チャネル設定および無線通信の通信属性の情報を保持する情報保持部と、
前記他の端末と無線通信の論理接続が確立される前に、前記情報保持部が保持する前記通信チャネル設定が示す通信チャネルを使用した無線通信により、前記他の端末から、当該他の端末が保持している前記通信属性の情報を受信する通信部と、
前記通信部が受信した前記通信属性の情報に基づいて、前記他の端末との前記論理接続の確立処理を制御する制御部と、
を有することを特徴とする無線通信端末。
【請求項２】
前記制御部は、自らと同じ前記通信チャネル設定および前記通信属性を保持している端末が存在する、または自らと同じ前記通信チャネル設定を保持している端末が複数存在することが検出されたとき、前記他の端末との前記論理接続の確立処理を中止することを特徴とする請求項１に記載の無線通信端末。
【請求項３】
前記制御部が前記他の端末との前記論理接続の確立処理を中止するとき、当該確立処理の中止を示す情報を操作者に報知する報知部をさらに有することを特徴とする請求項２に記載の無線通信端末。
【請求項４】
前記報知部はさらに、前記通信チャネル設定の変更を促す情報を前記操作者に報知することを特徴とする請求項３に記載の無線通信端末。
【請求項５】
前記通信属性の情報は、前記他の端末からの無線通信の接続要求に応じて当該他の端末と前記論理接続を確立する端末と、前記他の端末に対して無線通信の接続要求を行うことで当該他の端末と前記論理接続を確立する端末とのいずれの属性であるかを示す情報であることを特徴とする請求項１に記載の無線通信端末。
【発明の詳細な説明】
【技術分野】
【０００１】
本発明は、無線ＬＡＮ等の無線通信方式による無線通信を行う無線通信端末に関する。
【背景技術】
【０００２】
近年、細長の挿入部を体腔内や管路内に挿入して、体腔内や管路内の被写体像をモニタで観察できる内視鏡装置が広く利用されている。このような内視鏡装置は、一般に、体腔内や管路内に挿入される挿入部を有する内視鏡と、光源装置やビデオプロセッサを有する本体装置とを有し、内視鏡と本体装置は、光源装置から内視鏡へ照明光を導くライトガイドケーブルと、内視鏡で得られる撮像信号をビデオプロセッサへ伝送する信号ケーブルとで接続されている。これにより、内視鏡の移動範囲が制限され、また、内視鏡の操作性が妨げられていた。
【０００３】
そこで、例えば、特許文献１では、ＬＥＤ（発光ダイオード）等で構成された照明装置が内視鏡に内蔵されることで、内視鏡から延出するライトガイドケーブルが取り除かれている。また、撮像信号に映像信号処理を施してモニタ表示可能な映像信号を得る映像信号処理回路と、この映像信号を電波で送信する送信回路とが内視鏡に設けられ、この電波を受信して映像信号を復調する受信装置が内視鏡と別体に設けられることで、内視鏡から延出する信号ケーブルが取り除かれている。このような内視鏡装置は、一般に、ワイヤレス内視鏡装置とも呼ばれ、内視鏡の移動範囲の制限が緩和され、操作性が向上するという長所を有する。
【特許文献１】特開昭６０−４８１１号公報
【発明の開示】
【発明が解決しようとする課題】
【０００４】
従来のワイヤレス内視鏡装置では、受信装置が内視鏡と別体に設けられているため、受信装置に設定されている通信チャネルに合わせて、送信側の内視鏡の通信チャネルの設定を行い、無線通信での接続を行う必要がある。受信装置と内視鏡の組み合わせを一意に決定し、通信チャネルを予め任意のチャネルに固定的に設定する方法も考えられる。しかしながら、複数の受信装置および複数の内視鏡を使用している病院においては、内視鏡の消毒滅菌処理と検査が同時に進行されるため、受信装置と内視鏡の組み合わせが一意に決定されない。また、電波の干渉を防ぐために、受信装置の通信チャネルは各々異なる設定が必要となる。
【０００５】
このため、受信装置および内視鏡の各々に通信チャネルの選択スイッチを設け、内視鏡装置の使用開始時に使用対象の受信装置に設定された通信チャネルと同一の通信チャネルを使用対象の内視鏡に対して設定することにより、受信装置と内視鏡の無線通信接続を行っている。例えば、図１０に示されるように、診察室Ａ，Ｂの各々に受信装置１，２が設置され、各々の受信装置に異なる通信チャネルが設定されている場合は、内視鏡３は受信装置１に正常に無線接続を行うことができる。
【０００６】
しかし、図１１に示されるように、操作者の設定ミスにより、診察室Ｂに設置されている受信装置２に診察室Ａの受信装置１と同じ通信チャネルが設定された場合、診察室Ａの操作者が、受信装置１に設定された通信チャネルと同じ通信チャネルを内視鏡１に設定し無線接続を開始した場合、診察室Ｂの受信装置２に無線接続が行われることが発生し、意図した内視鏡３と受信装置１との無線接続が正常に行われない問題があった。
【０００７】
また、図１２に示されるように、受信装置１，２はお互いに無線通信可能な範囲外に設置されているが、内視鏡３の無線通信範囲内に受信装置１，２が存在する場合、内視鏡３が受信装置２に誤接続される問題があった。また、図１３に示されるように、受信装置１の無線通信範囲内に内視鏡３，４が存在し、内視鏡３，４の電源が同一タイミングで投入された場合、受信装置１に内視鏡４が誤接続される問題があった。
【０００８】
本発明は、上述した課題に鑑みてなされたものであって、無線通信の誤接続を防止することができる無線通信端末を提供することを目的とする。
【課題を解決するための手段】
【０００９】
本発明は、上記の課題を解決するためになされたもので、他の端末と無線通信を行う無線通信端末であって、無線通信の通信チャネル設定および無線通信の通信属性の情報を保持する情報保持部と、前記他の端末と無線通信の論理接続が確立される前に、前記情報保持部が保持する前記通信チャネル設定が示す通信チャネルを使用した無線通信により、前記他の端末から、当該他の端末が保持している前記通信属性の情報を受信する通信部と、前記通信部が受信した前記通信属性の情報に基づいて、前記他の端末との前記論理接続の確立処理を制御する制御部と、を有することを特徴とする無線通信端末である。
【００１０】
また、本発明の無線通信端末において、前記制御部は、自らと同じ前記通信チャネル設定および前記通信属性を保持している端末が存在する、または自らと同じ前記通信チャネル設定を保持している端末が複数存在することが検出されたとき、前記他の端末との前記論理接続の確立処理を中止することを特徴とする。
【００１１】
また、本発明の無線通信端末は、前記制御部が前記他の端末との前記論理接続の確立処理を中止するとき、当該確立処理の中止を示す情報を操作者に報知する報知部をさらに有することを特徴とする。
【００１２】
また、本発明の無線通信端末において、前記報知部はさらに、前記通信チャネル設定の変更を促す情報を前記操作者に報知することを特徴とする。
【００１３】
また、本発明の無線通信端末において、前記通信属性の情報は、前記他の端末からの無線通信の接続要求に応じて当該他の端末と前記論理接続を確立する端末と、前記他の端末に対して無線通信の接続要求を行うことで当該他の端末と前記論理接続を確立する端末とのいずれの属性であるかを示す情報であることを特徴とする。
【発明の効果】
【００１４】
本発明によれば、他の端末のうち、本無線通信端末と同一の通信チャネル設定を有する端末のみが本無線通信端末に通信属性の情報を送信する。この通信属性の情報に基づいて、他の端末との論理接続の確立処理を制御することによって、無線通信の誤接続を防止することができる。
【発明を実施するための最良の形態】
【００１５】
以下、図面を参照し、本発明の実施形態を説明する。本実施形態では、無線通信方式の一例として、無線ＬＡＮのプロトコルであるＩＥＥＥ８０２．１１を使用するものとする。図１は、本実施形態による内視鏡装置の構成を示している。本内視鏡装置は、撮影した画像データを無線通信により送信する内視鏡１００と、内視鏡１００から送信された画像データを受信し、画像をモニタに表示する受信装置２００とから構成されている。内視鏡１００は、操作者が操作指示を入力するための複数のスイッチからなる操作部１００aを備えている。受信装置２００は、受信装置２００の通信設定状態を示す複数のＬＥＤからなる通信設定表示部２０１を備えている。
【００１６】
図２は、内視鏡１００を操作スイッチの配置面から見た状態を示している。内視鏡１００の操作部１００ａは、電源スイッチ１０１、複数の操作スイッチ１０２、ＣＨ（チャネル）設定スイッチ１０３、状態表示ＬＥＤ１０４を備えている。ＣＨ設定スイッチ１０３には、設定チャネルを識別するための番号が付加されている。また、状態表示ＬＥＤ１０４は、２色（グリーン、オレンジ）表示可能なＬＥＤを有する。
【００１７】
図３は内視鏡１００の電気的構成を示している。内視鏡１００は、制御部３０１、ＲＯＭ３０２、ＲＡＭ３０３、撮像部３０４、照明部３０５、無線通信回路部３０６、アンテナ３０７、操作部３０８、電源回路部３０９から構成されている。
【００１８】
制御部３０１は、ＲＯＭ３０２に格納されているプログラムに従って動作し、内視鏡１００の動作シーケンスを制御する。ＲＯＭ３０２は、ＦｌａｓｈＲＯＭ等の不揮発メモリであり、内視鏡１００の制御のためのプログラムデータおよび通信設定パラメータを含む各種設定情報がＲＯＭ３０２に格納される。
【００１９】
図７は通信設定パラメータの内容を示している。ＣＨ設定スイッチ１０３に付加される番号毎に、通信チャネル（周波数）、ＳＳＩＤ（Service Set Identifier）、ＷＥＰ（Wired Equivalent Privacy）が関連付けられている。
【００２０】
ＲＡＭ３０３は、撮像部３０４から出力される画像データを一時的にバッファリングするバッファ、制御部３０１の演算等に使用するワークエリア、各種設定等を一時的に格納するエリアとして使用される。また、ＲＡＭ３０３は、通信設定パラメータ、通信属性の情報を格納するエリアとしても使用される。通信属性の情報は、内視鏡１００であるのか、受信装置２００であるのかを識別する情報である。本実施形態の内視鏡１００は、受信装置２００に対して無線通信の接続要求を行うことで受信装置２００と、後述する論理接続を確立するものとする。また、本実施形態の受信装置２００は、内視鏡１００から無線通信の接続要求に応じて内視鏡１００と論理接続を確立するものとする。
【００２１】
撮像部３０４は、入射する光を結像するレンズ、結像した光を電気信号へ変換する光電変換器（ＣＣＤやＣＭＯＳセンサ等）、光電変換器から出力されるアナログ電気信号をデジタル電気信号へ変換するＡＤコンバータ（アナログ−デジタル変換器）等から構成される。
【００２２】
照明部３０５は、照射レンズ、ＬＥＤ、ＬＥＤ駆動回路等から構成され、内視鏡１００の先端部１００ｂ（図１）に配置されている。ＬＥＤから発せられた光は、照射レンズを介して体腔内の被観察体に照射される。なお、先端部１００ｂではなく、操作部１００ａの内部にＬＥＤを配置し、ライトガイドで先端部１００ｂに導光する構成としてもよい。
【００２３】
無線通信回路部３０６は、無線通信に必要な高周波回路部、符号化・復号化回路部、バッファメモリ等から構成され、アンテナ３０７が接続されている。受信装置２００との無線通信を実施するためには、受信装置２００に設定されている通信チャネル、ＳＳＩＤ等と同一の通信チャネル、ＳＳＩＤ等の設定が必要である。
【００２４】
操作部３０８（図１の操作部１００ａに相当）は、図２に示した電源スイッチ１０１、操作スイッチ１０２、ＣＨ設定スイッチ１０３を有し、これらボタン、スイッチの状態および状態変化を電気信号として出力する。また、操作部３０８には、受信装置２００との接続状態を報知する状態表示ＬＥＤ１０４が配置されている。
【００２５】
電源回路部３０９は、バッテリー、ＤＣ／ＤＣコンバータ等で構成され、電源スイッチ１０１がオンされたことを検知して、前述した各ブロックへ電源を供給する。
【００２６】
図４は受信装置２００の電気的構成を示している。受信装置２００は、制御部４０１、ＲＯＭ４０２、ＲＡＭ４０３、無線通信回路部４０４、アンテナ４０５、画像信号処理部４０６、モニタ４０７、操作部４０８から構成されている。
【００２７】
制御部４０１は、ＲＯＭ４０２に格納されているプログラムに従って動作し、受信装置２００の動作シーケンスを制御する。ＲＯＭ４０２は、ＦｌａｓｈＲＯＭ等の不揮発メモリであり、受信装置２００の制御のためのプログラムデータおよび通信設定パラメータを含む各種設定情報がＲＯＭ４０２に格納される。
【００２８】
ＲＡＭ４０３は、無線通信回路部４０４で受信された画像データを一時的にバッファリングするバッファ、制御部４０１の演算等に使用するワークエリア、各種設定等を一時的に格納するエリアとして使用される。また、ＲＡＭ４０３は、通信設定パラメータ、通信属性の情報を格納するエリアとしても使用される。
【００２９】
無線通信回路部４０４は、無線通信に必要な高周波回路部、符号化・復号化回路部、バッファメモリ等から構成され、アンテナ４０５が接続されている。無線通信回路部４０４は、内視鏡１００の無線通信回路部３０６と同様に無線ＬＡＮのプロトコルに従って無線通信を行う。
【００３０】
画像信号処理部４０６は、無線通信回路部４０４で受信された画像データをＮＴＳＣ信号またはＰＡＬ信号に変換し、モニタ４０７に出力する。モニタ４０７は、液晶表示装置およびその制御回路から構成され、画像の表示を行うと共に、無線接続の状態を報知する報知部として動作する。
【００３１】
操作部４０８は、図１には示されていないが受信装置２００の背面に搭載されたＣＨ設定スイッチを有し、ＣＨ設定スイッチの状態および状態変化を電気信号として出力する。また、操作部４０８には、ＣＨ設定スイッチで選択された通信チャネルをＬＥＤで表示する通信設定表示部２０１（図１）が配置されている。
【００３２】
次に、図５に従って、本実施形態による受信装置２００の動作を説明する。操作者は、受信装置２００のＣＨ設定スイッチにより通信チャネルの設定を行った後、受信装置２００の電源を投入する。受信装置２００の電源が投入されると、制御部４０１は受信装置２００の各機能ブロックを初期化する（ステップＳ５０１）。
【００３３】
続いて、制御部４０１は、ＣＨ設定スイッチにより設定された通信チャネル設定を含む通信設定パラメータと受信装置２００の通信属性の情報をＲＡＭ４０３に格納する。また、通信設定表示部２０１において、設定された通信チャネルに該当するＬＥＤが点灯する（ステップＳ５０２）。続いて、制御部４０１は、通信属性毎に通信端末をカウントするための値Ｔ，Ｒを０に初期化する（ステップＳ５０３）。
【００３４】
続いて、受信装置２００は、以下のようにして、操作者によって選択された通信チャネルで無線通信の物理接続を行う。物理接続では、物理層での接続で使用する無線周波数とＳＳＩＤが決定され、通信相手と送受信されるパケットをハードウェア上に取り込める状態となる。まず、受信装置２００は、通信端末（内視鏡１００または受信装置２００）の探索フェーズに移行する。
【００３５】
通信端末の探索では、探索要求パケットが送信され、探索要求パケットに対する探索要求応答パケットの受信が所定期間行われる。制御部４０１は無線通信回路部４０４に探索要求パケットをブロードキャストで送信させる（ステップＳ５０４）。図８（ａ）は探索要求パケットの内容を示している。ヘッダ８００に続いて、ＳＳＩＤ８０１、サポート通信レート８０２、ＦＣＳ（Frame Check Sequence）８０３が格納されている。
【００３６】
受信装置２００と同一の通信チャネルが設定されている通信端末は、受信装置２００から送信された探索要求パケットを受信し、探索要求応答パケットを送信する。図８（ｂ）は探索要求応答パケットの内容を示している。ヘッダ８１０に続いて、ＳＳＩＤ８１１、サポート通信レート８１２、通信属性８１３、ＦＣＳ８１４が格納されている。通信属性８１３は、探索要求応答パケットの送信元の通信端末が受信装置２００であれば０であり、内視鏡１００であれば１である。上記の物理接続では、ＲＡＭ４０３に格納されている通信チャネル設定が示す通信チャネルを使用して無線通信が行われる。
【００３７】
制御部４０１は、探索要求パケットの送信後、探索要求応答パケットを受信したか否かを判定する（ステップＳ５０５）。探索要求応答パケットを受信していない場合、処理はステップＳ５０９に進む。また、探索要求応答パケットを受信した場合、制御部４０１は、探索要求応答パケットに含まれる通信属性を判定する（ステップＳ５０６）。
【００３８】
通信属性が受信装置を示している場合、制御部４０１は値Ｒを１増加する（ステップＳ５０７）。また、通信属性が内視鏡を示している場合、制御部４０１は値Ｔを１増加する（ステップＳ５０８）。
【００３９】
続いて、制御部４０１は、探索要求パケットを受信したか否かを判定する（ステップＳ５０９）。探索要求パケットを受信した場合、制御部４０１は無線通信回路部４０４に探索要求応答パケットをブロードキャストで送信させる（ステップＳ５１０）。この後、処理はステップＳ５０５に戻る。
【００４０】
また、探索要求パケットを受信していない場合、制御部４０１は、ステップＳ５０４で探索要求パケットを送信してから所定時間が経過したか否かを判定する（ステップＳ５１１）。所定時間が経過していない場合、処理はステップＳ５０５に戻る。また、所定時間が経過した場合、制御部４０１は、値Ｒ，Ｔの合計が０であるか否かを判定する（ステップＳ５１２）。
【００４１】
値Ｒ，Ｔの合計が０であった場合、受信装置２００の通信可能範囲に通信端末が存在しないことになる。この場合、処理はステップＳ５０４に戻り、通信端末の探索が再度行われる。また、値Ｒ，Ｔの合計が０でなかった場合、受信装置２００の通信可能範囲に他の通信端末が存在することになる。この場合、制御部４０１は、値Ｒが１以上であるか否かを判定する（ステップＳ５１３）。
【００４２】
値Ｒが１以上であった場合、受信装置２００の通信可能範囲に、同じ通信チャネルの設定された他の受信装置２００が存在することになる。この場合、制御部４０１は、画像信号処理部４０６に対して、警告を表示するための処理を実行させ、モニタ４０７に警告表示用の画像信号を出力させる。これによって、モニタ４０７に警告が表示される（ステップＳ５１７）。図９は、受信装置２００のモニタ４０７に表示される警告の例を示している。
【００４３】
続いて、制御部４０１は、ＣＨ設定スイッチにおける通信チャネルが変更されたか否かを判定する（ステップＳ５１８）。通信チャネルが変更されていない場合、再度ステップＳ５１７の処理が行われる。また、通信チャネルが変更された場合、処理は再度ステップＳ５０２に戻る。
【００４４】
一方、ステップＳ５１３における判定の結果、値Ｒが１未満（すなわち０）であった場合、制御部４０１は、値Ｔが１より大きいか否かを判定する（ステップＳ５１４）。値Ｔが１より大きい場合、同じ通信チャネルの設定された内視鏡１００が複数存在することになる。この場合、処理はステップＳ５１７に進み、受信装置２００のモニタ４０７に警告が表示される。
【００４５】
値Ｔが１以下の場合、値Ｒ，Ｔの合計が０でなく値Ｒが０であるため、値Ｔは１となる。この場合、受信装置２００の通信可能範囲に、同じ通信チャネルの設定された１台の内視鏡１００のみが存在することになるので、受信装置２００は論理接続フェーズへ移行し、論理接続を確立する処理を実行する（ステップＳ５１５）。
【００４６】
論理接続では、物理接続された複数の通信端末の中で、特定の２つの通信端末、すなわち内視鏡１００と受信装置２００の組合せが確定した状態となる。本実施形態では、論理接続が完了すると、内視鏡１００が画像データを送信する宛先（ＭＡＣアドレス）が確定する。論理接続フェーズでは、内視鏡１００が、内視鏡１００のＭＡＣアドレスを含むＭＡＣアドレス要求パケットを送信し、このＭＡＣアドレス要求パケットを受信した受信装置２００が、受信装置２００のＭＡＣアドレスを含むＭＡＣアドレス要求応答パケットを送信することにより、内視鏡１００と受信装置２００の間でＭＡＣアドレスが交換される。
【００４７】
論理接続が完了したら、受信装置２００は、内視鏡１００から送信される画像データの受信を開始する（ステップＳ５１６）。上記の動作によれば、受信装置２００の通信可能範囲に、同じ通信チャネルの設定された１台の内視鏡１００のみが存在する場合に論理接続が確立されるので、無線通信の誤接続を防止することができる。
【００４８】
次に、図６に従って、本実施形態による内視鏡１００の動作を説明する。操作者は、受信装置２００の通信設定表示部２０１が表示する通信チャネルに合わせて内視鏡１００のＣＨ設定スイッチ１０３により通信チャネルの設定を行った後、内視鏡１００の電源を投入する。内視鏡１００の電源が投入されると、制御部３０１は内視鏡１００の各機能ブロックを初期化する（ステップＳ６０１）。
【００４９】
ステップＳ６０２〜Ｓ６１２の処理は図５のステップＳ５０２〜Ｓ５１２の処理と同様であるので、説明を省略する。ステップＳ６１２の判定の結果、値Ｒ，Ｔの合計が０でなかった場合、内視鏡１００の通信可能範囲に他の通信端末が存在することになる。この場合、制御部４０１は、値Ｔが１以上であるか否かを判定する（ステップＳ６１３）。値Ｔが１以上である場合、同じ通信チャネルの設定された他の内視鏡１００が存在することになる。この場合、制御部３０１は、操作者に警告を報知するため、状態表示ＬＥＤ１０４をオレンジに点灯または点滅させる（ステップＳ６１７）。
【００５０】
続いて、制御部３０１は、ＣＨ設定スイッチ１０３における通信チャネルが変更されたか否かを判定する（ステップＳ６１８）。通信チャネルが変更されていない場合、再度ステップＳ６１７の処理が行われる。また、通信チャネルが変更された場合、処理は再度ステップＳ６０２に戻る。
【００５１】
一方、値Ｔが１未満（すなわち０）であった場合、内視鏡１００の通信可能範囲に、同じ通信チャネルの設定された他の内視鏡１００は存在しないことになる。この場合、制御部３０１は、値Ｒが１より大きいか否かを判定する（ステップＳ６１４）。値Ｒが１より大きい場合、同じ通信チャネルの設定された受信装置２００が複数存在することになる。この場合、処理はステップＳ６１７に進み、状態表示ＬＥＤ１０４により警告が操作者に報知される。
【００５２】
値Ｒが１以下の場合、値Ｒ，Ｔの合計が０でなく値Ｔが０であるため、値Ｒは１となる。この場合、内視鏡１００の通信可能範囲に、同じ通信チャネルの設定された１台の受信装置２００のみが存在することになるので、内視鏡１００は論理接続フェーズへ移行し、論理接続を確立する処理を実行する（ステップＳ６１５）。論理接続が完了したら、内視鏡１００は、受信装置２００に画像データの送信を開始する（ステップＳ６１６）。上記の動作によれば、内視鏡１００の通信可能範囲に、同じ通信チャネルの設定された１台の受信装置２００のみが存在する場合に、論理接続が確立されるので、無線通信の誤接続を防止することができる。
【００５３】
上述したように、本実施形態によれば、内視鏡１００または受信装置２００において、自らと同じ通信チャネル設定を保持し、異なる通信属性を保持する通信端末が１台だけ検出されたときには、論理接続の確立処理が実行される。また、内視鏡１００または受信装置２００において、自らと同じ通信チャネル設定および通信属性を保持している通信端末が存在する、または自らと同じ通信チャネル設定を保持している通信端末が複数存在することが検出されたときには、論理接続の確立処理が中止される。これによって、無線通信の誤接続を防止することができる。
【００５４】
また、論理接続の確立処理が中止されるときには、確立処理の中止を示す情報および通信チャネル設定の変更を促す情報が操作者に報知される（図５のステップＳ５１７、図６のステップＳ６１７）ので、内視鏡１００と受信装置２００が正常に無線接続されていないことを操作者に認識させ、操作者に通信チャネル設定の変更を促すことができる。
【００５５】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００５６】
【図１】本発明の一実施形態による内視鏡装置の構成を示す構成図である。
【図２】本発明の一実施形態による内視鏡の外観図である。
【図３】本発明の一実施形態による内視鏡の構成を示すブロック図である。
【図４】本発明の一実施形態による受信装置の構成を示すブロック図である。
【図５】本発明の一実施形態による受信装置の動作を示すフローチャートである。
【図６】本発明の一実施形態による内視鏡の動作を示すフローチャートである。
【図７】本発明の一実施形態における通信設定パラメータの内容を示す参考図である。
【図８】本発明の一実施形態における探索要求パケットの内容を示す参考図である。
【図９】本発明の一実施形態における探索要求応答パケットの内容を示す参考図である。
【図１０】従来技術の問題を説明するための参考図である。
【図１１】従来技術の問題を説明するための参考図である。
【図１２】従来技術の問題を説明するための参考図である。
【図１３】従来技術の問題を説明するための参考図である。
【符号の説明】
【００５７】
１００・・・内視鏡（無線通信端末）、１０１・・・電源スイッチ、１０２・・・操作スイッチ、１０３・・・ＣＨ設定スイッチ、１０４・・・状態表示ＬＥＤ（報知部）、２００・・・受信装置（無線通信端末）、２０１・・・通信設定表示部、３０１，４０１・・・制御部、３０２，４０２・・・ＲＯＭ、３０３，４０３・・・ＲＡＭ（情報保持部）、３０４・・・撮像部、３０５・・・照明部、３０６，４０４・・・無線通信回路部（通信部）、３０７，４０５・・・アンテナ、３０８，４０８・・・操作部、４０６・・・通信設定表示部、４０７・・・モニタ（報知部）
【図１】
2010141724.tif 000003
【図２】
2010141724.tif 000004
【図３】
2010141724.tif 000005
【図４】
2010141724.tif 000006
【図５】
2010141724.tif 000007
【図６】
2010141724.tif 000008
【図７】
2010141724.tif 000009
【図８】
2010141724.tif 000010
【図９】
2010141724.tif 000011
【図１０】
2010141724.tif 000012
【図１１】
2010141724.tif 000013
【図１２】
2010141724.tif 000014
【図１３】
2010141724.tif 000015